(57)【特許請求の範囲】
【請求項１】
水平方向に延び、且つ、上軌条（３）及び下軌条（４）を有するトラス梁として設計された少なくとも１つのクレーンガーダー（２）、を備え、昇降ギアを有するクレーントロリー（９）が当該ガーダー上で移動可能とされた、クレーン（１ａ、１ｂ）であって、前記クレーンガーダー（２）は、対向する２つの端部の少なくとも一方にアダプター（１２）を備えており、当該アダプターには走行機構（７、８）が取り付けられており、前記アダプター（１２）は、前記上軌条（３）及び下軌条（４）上で、前記上軌条（３）及び下軌条（４）に対して所望の位置に位置合わせされているとともに、前記アダプター（１２）は前記上軌条（３）及び下軌条（４）に溶接されており、前記アダプター（１２）は、前記走行機構（７、８）に取り付けるための連結プレート（１２ａ）と、前記上軌条（３）に取り付けるためのヘッドプレート（１２ｂ）と、前記下軌条（４）に取り付けるためのアダプター壁（１２ｅ）とを備え、前記アダプター壁（１２ｅ）は前記ヘッドプレート（１２ｂ）に取り付けられており、前記ヘッドプレート（１２ｂ）は、前記クレーンガーダー（２）の前記上軌条（３）上に水平に配置され且つ前記所望の位置で前記上軌条（３）に溶接されており、前記アダプター壁（１２ｅ）は、前記下軌条（４）の辺りで終結し、前記所望の位置で前記下軌条（４）に溶接されている、クレーン。
【請求項２】
前記アダプター（１２）は、少なくとも前記クレーンガーダー（２）の長手方向（ＬＲ）において、前記上軌条（３）及び前記下軌条（４）に対して位置合わせすることができる、請求項１に記載のクレーン（１ａ、１ｂ）。
【請求項３】
前記クレーンガーダー（２）は、前記対向する２つの端部のそれぞれに、前記アダプター（１２）を備える、請求項１又は２に記載のクレーン（１ａ、１ｂ）。
【請求項４】
前記ヘッドプレート（１２ｂ）には、互いに平行に延び且つ互いに離間する２つのアダプター壁（１２ｅ）が配置されている、請求項１〜３のいずれか１つに記載のクレーン（１ａ、１ｂ）。
【請求項５】
前記連結プレート（１２ａ）は、前記ヘッドプレート（１２ｂ）及び前記アダプター壁（１２ｅ）に当接しており、前記所望の位置に溶接されている、請求項１〜４のいずれか１つに記載のクレーン（１ａ、１ｂ）。
【請求項６】
走行機構（７、８）を、前記連結プレート（１２ａ）に設けられたに穴（１２ｄ）を用いて、各アダプター（１２）に取り付けることができる、請求項１〜５のいずれか１つに記載のクレーン（１ａ、１ｂ）。
【請求項７】
水平方向に長さ（Ｌ）を有して延び、且つ、上軌条（３）及び下軌条（４）を有するトラス梁として設計された、クレーン（１ａ、１ｂ）用のクレーンガーダー（２）の組み立て方法であって、昇降ギアを有するクレーントロリー（９）が当該クレーンガーダー上で移動可能とされており、前記クレーンガーダー（２）のトラス構造は、１つの組み立て工程で作製され、さらなる組み立て工程において、走行機構（７、８）を取り付けるためのアダプター（１２）を、前記クレーンガーダー（２）の対向する２つの端部の少なくとも一方に配置し、前記上軌条（３）及び下軌条（４）に対して位置合わせし、次に、前記アダプター（１２）を、前記上軌条（３）及び下軌条（４）の所望位置に溶接し、前記アダプター（１２）の前記上軌条（３）及び下軌条（４）対する位置合わせは、前記クレーンガーダー（２）の少なくとも長手方向（ＬＲ）において行い、前記アダプター（１２）は、ヘッドプレート（１２ｂ）に取り付けられたアダプター壁（１２ｅ）を備えており、前記クレーンガーダー（２）の前記上軌条（３）上に水平に配置された前記ヘッドプレート（１２ｂ）を、前記上軌条（３）の所望の位置に位置合わせ及び溶接し、前記下軌条（４）の辺りで終結する前記アダプター壁（１２ｅ）を、前記下軌条（４）の所望の位置に位置合わせ及び溶接する、方法。
【請求項８】
連結プレート（１２ａ）を、前記ヘッドプレート（１２ｂ）及び前記アダプター壁（１２ｅ）の所望の位置に位置合わせ及び溶接する、請求項７に記載の方法。
【発明の詳細な説明】
【技術分野】
【０００１】
本発明は、少なくとも１つのクレーンガーダーを有するクレーン、特にオーバーヘッドクレーン又はガントリークレーンに関する。当該クレーンガーダーは、水平方向に延び且つ上軌条と下軌条とを有するトラス梁として設計されており、当該ガーダー上で、昇降ギアを有するクレーントロリーを移動させることができるものである。
【０００２】
本発明はさらに、クレーンガーダーの組み立て方法に関し、当該クレーンガーダーは、水平方向に所定の長さを有して延びており、上軌条と下軌条とを有するトラス梁として設計された、特にオーバーヘッドクレーン又はガントリークレーンなどのクレーン用のガーダーであり、当該ガーダー上で、昇降ギアを有するクレーントロリーを移動させることができるものである。当該方法では、クレーンガーダーのトラス構造を、１つの組み立て工程で作製することができる。
【背景技術】
【０００３】
ドイツ特許第２６００３０号明細書は、いわゆるダブルガーダーガントリークレーンを開示しており、当該ガントリークレーンは、２つの水平クレーンガーダーと２つの垂直支持ガーダーとを有し、これらがガントリークレーンのガントリーフレームを形成しているものである。これらのクレーンガーダーは、互いに平行に延び且つ所定距離離間している。支持ガーダーの下端には、走行機構が設けられており、これによって、クレーンガーダーの長手方向を横切る走行方向に、ガントリークレーンを移動させることができる。ケーブルウィンチを有するクレーントロリーを、クレーンガーダー上でこれに沿って移動させることができる。ダブルガーダークレーンとしての設計によれば、クレーントロリーに設けられたケーブルウィンチの荷重物持ち上げ手段を、２つのクレーンガーダーの間で昇降させる。これらクレーンガーダーは、トラス梁として形成されており、水平に配置され互いに平行な上軌条と下軌条とを備えている。２つのクレーンガーダーにおける上軌条と下軌条とは、垂直方向に延びるロッド状の支柱と、斜めに延びるロッド状の筋交いとによって互いに連結されている。２つのクレーンガーダーは、横方向に延びるロッド及び支柱によって端部で互いに連結されており、これによってフレームが形成されている。ロッド状の支柱及び筋交いは、クレーンガーダーの長手方向に沿って上軌条と下軌条との間に配置されて一種のトラスを形成しており、それぞれが上軌条を、その垂直方向下方に設けられた下軌条に連結している。
【０００４】
ドイツ実用新案第１９７１７９４号明細書は、ダブルガーダーオーバーヘッドクレーンを開示している。当該クレーンの２つの水平クレーンガーダーは、ガーダーの端部に設けられたヘッドガーダーによって互いに連結されており、クレーンガーダーの長手方向と交差する走行方向に共に移動することができる。両クレーンガーダーは、同じ様にトラス梁として設計されており、それぞれが、プレート状の上軌条と、ロッド状の下軌条と、ロッド状の支柱とを備えている。
【０００５】
ドイツ特許第３１０９８３４号明細書は、トラス構造として形成されたマストとクレーンジブとを有するタワークレーンに関する。立方体状のマストは、Ｌ字形で垂直方向に配置された４つの支持ガーダーを備えており、それらのうち２つの隣接する支持ガーダー同士が三角プレートによって互いに連結されている。この場合、これらのプレートは、その角部及び／又は側方部分が、支持ガーダーに取り付けられている。これらのプレートの側方部分の少なくともいくつかは、折り曲げられて補強リブを形成している。
【０００６】
また、ドイツ実用新案第１９７１７９３号明細書は、ボックスガーダーとして設計されたオーバーヘッドクレーンのクレーンガーダーを開示している。クレーンガーダーの対向する２つの端部は、連結要素によって、ヘッドガーダーにねじ留めされている。ヘッドガーダーは、走行機構を支持しており、当該走行機構によって、オーバーヘッドクレーンは、レールに沿って移動可能である。連結プレートは、実質的に、矩形のベースプレートによって構成されており、当該ベースプレート上に、２つの矩形の締結プレートが、それぞれ内側に延びるように溶接されている。締結プレートは、それぞれが、ベースプレート上に垂直に設けられており、クレーンガーダーの幅に略一致する距離だけ互いに離間して平行に配置されている。従って、連結要素は、締結プレートと共に、クレーンガーダーの端部上で摺動可能であり、所望の位置に配置及び溶接することができる。
【先行技術文献】
【特許文献】
【０００７】
【特許文献１】ドイツ特許第２６００３０号明細書
【特許文献２】ドイツ実用新案第１９７１７９４号明細書
【特許文献３】ドイツ特許第３１０９８３４号明細書
【特許文献４】ドイツ実用新案第１９７１７９３号明細書
【発明の概要】
【０００８】
本発明の目的は、少なくとも１つの改良されたクレーンガーダーを有するクレーン、特に、オーバーヘッドクレーン又はガントリークレーンを提供することである。
【０００９】
当該目的は、請求項１の特徴を有するクレーン、特にオーバーヘッドクレーン又はガントリークレーン、及び、請求項９の特徴を有するクレーンガーダーの組み立て方法によって達成される。本発明の好適な実施形態は、従属クレーム２〜８及び１０〜１２に記載されている。
【００１０】
水平方向に延び、且つ、上軌条及び下軌条を有するトラス梁として設計された少なくとも１つのクレーンガーダー、を備え、昇降ギアを有するクレーントロリーが当該ガーダー上で移動可能とされた、クレーン、特にオーバーヘッドクレーン又はガントリークレーンにおいて、当該少なくとも１つのクレーンガーダーは、以下の点において改良されている。すなわち、当該クレーンガーダーは、対向する２つの端部の少なくとも一方にアダプターを備え、当該アダプターは、上軌条及び下軌条に対して位置合わせし、次に、上軌条及び下軌条に対して所望の位置に溶接することによって、上軌条及び下軌条に取り付けることができる。従来のように、大きめのサイズにクレーンガーダーを作製し、その後に所望の大きさ又は長さに部品を焼き切るあるいは短くする構成に比べて、このように改良されたクレーンガーダーは、後に続く機械加工工程を省くことによって、製造コストの相当な削減を実現することができる。また、場合によっては必要であったスペーサープレートの溶接工程も、省くことができる。このことによっても、組み立てが簡単になる。このように、本発明の構造及び位置合わせ可能なアダプターの使用によって、全体として、製造コストの削減を実現することができる。アダプターは、上軌条及び下軌条に対して、あらゆる空間方向において移動させることができるので、クレーンガーダーの長さだけでなく、不十分な製造精度も補うことができる。
【００１１】
この場合、好適な実施形態において、アダプターは、少なくともクレーンガーダーの長手方向において、上軌条及び下軌条に対して位置合わせすることができる。従って、トラス梁として設計されたクレーンガーダーは、そこまで正確な長さに製造する必要は無く、クレーンガーダーの捩れやその他の不精密な点は、アダプターを位置合わせし溶接する際に考慮すればよい。
【００１２】
構造的にシンプルな設計として、クレーンガーダーは、対向する２つの端部のそれぞれにアダプターを備える構成が提供される。この構成によれば、クレーンガーダーにおける可能な長さ調節範囲を拡大することができ、好適である。
【００１３】
構造上の好適な態様として、アダプターが、走行機構に取り付けるための連結プレートと、上軌条に取り付けるためのヘッドプレートと、下軌条に取り付けるためのアダプター壁とを備える構成が提供される。
【００１４】
一の組み立て工程において、好適には、アダプターを、連結プレートを備えない状態で、アダプター壁によって構成し、これらアダプター壁をヘッドプレートに固定する。この場合、ヘッドプレートを、クレーンガーダーの上軌条上に水平に配置し、位置合わせした後、所望の位置で上軌条に溶接する。また、下軌条の辺りで終結するアダプター壁を、位置合わせの後に、所望の位置で下軌条に溶接する。あるいは、この場合、ヘッドプレート及びアダプター壁に、連結プレートをあらかじめ溶接しておいてもよい。
【００１５】
好適な態様として、互いに平行に延び且つ互いに離間する２つのアダプター壁をヘッドプレートに設ける構成が提供される。
【００１６】
さらなる組み立て工程において、所望の位置に既に位置合わせされたヘッドプレート及びアダプター壁に対して、連結プレートを位置合わせし溶接することによって、第２の位置合わせを行うこともできる。
【００１７】
好適な態様として、連結プレートに設けられた穴を用いて、走行機構を各アダプターに取り付ける構成としてもよい。
【００１８】
水平方向に長さを有して延び、且つ、上軌条及び下軌条を有するトラス梁として設計された、クレーン、特にオーバーヘッドクレーン又はガントリークレーン用のクレーンガーダーであって、昇降ギアを有するクレーントロリーが当該クレーンガーダー上で移動可能とされたクレーンガーダー、の組み立て方法において、クレーンガーダーのトラス構造は、１つの組み立て工程で作製され、少なくとも１つのクレーンガーダーは、以下の点において改良されている。すなわち、さらなる組み立て工程において、クレーンガーダーの対向する２つの端部の少なくとも一方にアダプターを配置し、当該アダプターを上軌条及び下軌条に対して位置合わせし、次に、上軌条及び下軌条における所望の長さに対応する所望の位置にアダプターを溶接する。これによって、アダプターは、溶接の前に、すべての空間方向において、上軌条及び下軌条に対して位置合わせすることができ、従って、製造上の誤差があれば、これを補正することができる。
【００１９】
この場合、好適な実施形態において、アダプターを、少なくともクレーンガーダーの長手方向において、上軌条及び下軌条に対して位置合わせしてもよい。従って、トラス梁として設計されたクレーンガーダーは、そこまで正確な長さに製造する必要は無く、クレーンガーダーの捩れその他の不精密な点は、アダプターを位置合わせし溶接する際に考慮すればよい。
【００２０】
一の組み立て工程において、アダプターは、ヘッドプレートに取り付けられたアダプター壁を備えており、ヘッドプレートを、クレーンガーダーの上軌条上に水平に配置し且つ上軌条に対して所望の位置に位置合わせ及び溶接し、下軌条の辺りで終結するアダプター壁を、前記下軌条に対し所望の位置に位置合わせ及び溶接する。このように、少なくともヘッドプレートとアダプター壁とを備えるアダプターによって、上軌条及び下軌条とを連結することができ、同時に、当該アダプターは適切な空間位置に溶接される。この場合、走行機構を取り付けるための連結プレートを、ヘッドプレート及びアダプター壁にあらかじめ取り付けておくこともできる。
【００２１】
これに代えて、クレーンガーダーの全長に関し連結プレートがまだ取り付けられていないということを考慮した上で、ヘッドプレート及びアダプター壁を位置合わせし溶接した後に、連結プレートをヘッドプレート及びアダプター壁の所望の位置に配置し溶接してもよい。これによれば、組み立てに関し、位置合わせに関する選択の機会が連続して２回得られる。
【００２２】
好適な態様において、クレーンガーダーの対向する２つの端部のそれぞれに対して、アダプターを、配置、変位、及び溶接する。この場合、それぞれのアダプターを、１つの工程または２つの工程において取り付けることができる。クレーンガーダーの一端には、連結プレートが取り付けられたアダプターを用い、クレーンガーダーの他端には、連結プレートが取り付けられていないアダプターを用いることが好ましい。これによれば、一端において、二段階の位置合わせが行われる。
【図面の簡単な説明】
【００２３】
本発明の２つの例示的な実施形態を、図面を参照しつつ、より詳細に説明する。
【図１ａ】シングルガーダークレーンとして設計されたオーバーヘッドクレーンを示す図である。
【図１ｂ】ダブルガーダークレーンとして設計されたオーバーヘッドクレーンを示す図である。
【図２ａ】図１ａによるオーバーヘッドクレーン用の、本発明のクレーンガーダーの斜視図である。
【図２ｂ】図１ｂによるオーバーヘッドクレーン用の、本発明のクレーンガーダーの斜視図である。
【図３】図２ａによるクレーンガーダーの断面図である。
【図４ａ】クレーンガーダー用のアダプターの側面図である。
【図４ｂ】クレーンガーダーの長手方向視におけるアダプターを示す図である。
【００２４】
オーバーヘッドクレーンについて述べる以下の説明は、適宜ガントリークレーンにも当てはまる。
【００２５】
図１ａは、シングルガーダーのオーバーヘッドクレーンとして設計された、従来の第１クレーン１ａを示している。第１クレーン１ａは、クレーンガーダー２を備えており、当該クレーンガーダーは、ボックスガーダーとして設計されており、水平に配置され、長手方向ＬＲに長さＬを有して延びる。クレーンガーダー２の両端には、第１及び第２の走行機構７、８が取り付けられており、これによって、平面視において実質的にダブルＴ字形のクレーンブリッジが形成されている。走行機構７、８によって、クレーンガーダー２の長手方向ＬＲと交差する水平な走行方向Ｆに、図示しないレール上で第１クレーン１ａを移動させることができる。通常、レールは、地面上方の所定の位置に配置されるが、これを実現するためには、例えば適当な支持構造によって高所支持してもよいし、対向するビルの壁面に取り付けてもよい。第１クレーン１ａ又はそのクレーンガーダー２を移動させるためには、第１走行機構７を第１電動機７ａによって駆動し、第２の走行機構８を第２の電動機８ａによって駆動する。クレーンガーダー２からは、クレーントロリー９が吊り下げられており、当該クレーントロリーは、ケーブルウィンチとして設計された昇降ギアを有し、図示しない走行機構によって、クレーン１ａの走行方向Ｆに交差する、クレーンガーダー２の長手方向ＬＲに沿って、移動することができる。クレーントロリー９は、クレーンガーダー２の下軌条４の、側方に突出する走行面４ｃに沿って、当該面上で移動することができる。第１クレーン１ａは、クレーンコントローラ１０及びこれに接続されたペンダント制御スイッチ１１をさらに備え、これらによって、第１クレーン１又は電動機７ａ、８ａと、ケーブルウィンチを有するクレーントロリー９とを、個別に制御及び操作することができる。
【００２６】
図１ｂは、従来の第２クレーン１ｂを示しており、当該第２クレーンは、ダブルガーダーのオーバーヘッドクレーンとして設計されており、シングルガーダーのオーバーヘッドクレーンとして設計された第１クレーン１ａとは異なり、２つのクレーンガーダー２を備えている。ここでも、２つのクレーンガーダー２の両端には、走行機構７、８が取り付けられており、これによって平面視でフレームが形成されている。第２クレーン１ｂも、ケーブルウィンチとして設計された昇降ギアを有するクレーントロリー９を備えている。ただし、クレーントロリー９は、クレーンガーダー２の下軌条４から吊り下げられているのではなく、２つのクレーンガーダー２の上軌条３上を走行する。従って、クレーンガーダー２の間の中央に配置されたクレーントロリー９は、クレーンガーダー２の長手方向ＬＲに沿って、２つのクレーンガーダー２の間を移動することができる。この場合、クレーントロリー９に設けられたケーブルウィンチの荷重物持ち上げ手段を、２つのクレーンガーダー２の間で昇降させることができる。
【００２７】
他の部分に関しては、第１クレーン１ａに関して説明したことが、第２クレーン１ｂにも当てはまる。
【００２８】
図２ａは、図１ａに示したようにシングルガーダーオーバーヘッドクレーンとして設計されたクレーン１ａ用のクレーンガーダー２ａを示す斜視図である。この例において、クレーンガーダー２は従来のようなボックスガーダーとしてではなく、トラス梁として設計されている。
【００２９】
クレーンガーダー２のトラス構造は、実質的に、上軌条３、下軌条４、斜めに延びる筋交い５、及び、垂直支柱６を備えている。上軌条及び下軌条４は、互いに平行且つ離間した状態で、走行機構７と８との間でクレーンガーダー２の長手方向ＬＲに、それぞれ直線状に延びている。この例において、上軌条３と下軌条４とは、垂直方向に互いに離間している。上軌条３は、水平平面内に配置され且つ水平方向に互いに離間する２つの第１及び第２上軌条型材３ｄ、３ｅによって構成されている。
【００３０】
２つの上軌条型材３ｄ、３ｅは、それぞれＬ字形又は屈曲状の断面を有する型材である。下軌条４は、垂直に起立する２つの突出部４ａを有するフラット型材４ｂによって構成されており、従って、略Ｕ字形の断面形状を有する。この例において、フラット型材４ｂは、突出部４ａ（図３も参照のこと）を越えて側方に延出している。フラット型材４ｂの側方に延出した部分のそれぞれが、ここには図示しないクレーントロリー９の走行機構の走行面４ｃを形成している。また、長手方向ＬＲ視における、上軌条型材３ｄ、３ｄ又はフラット型材４ｂの外側縁部同士の離間距離が、クレーンガーダー２の幅Ｂを規定している。
【００３１】
上軌条３と下軌条４とは、薄板状に形成された複数の筋交い５と、一実施形態においてはロッド状に形成された複数の支柱６とによって、互いに連結されている。この例において、筋交い５は、実質的に矩形の主面５ａを有するシートメタル型材として形成されており、その少なくとも中央部分の長手両側部を折り返して補助面５ｂを形成することにより、座屈強度を高めている。
【００３２】
クレーンガーダー２のトラス構造は、上軌条３及び下軌条４の両端で、これらに設けられたアダプター１２によって終結している。これらのアダプター１２によって、上軌条３と下軌条４とが連結され、フレームが形成されている。全体として下軌条４の方が上軌条３より短いため、アダプター１２は全体として斜めに延びており、クレーンガーダー２のフレームは、底辺から上辺に向かって広がる台形状に形成されている。また、アダプター１２は、上軌条３の近傍における、上軌条３の外側に、連結プレート１２ａを備えており、当該連結プレートに、走行機構７、８の一方またはそのガーダーが取り付けられている。
【００３３】
クレーンガーダー２の長手方向ＬＲ視において、２つのアダプター１２の一方側から数えて最初の筋交い５は、下軌条４に連結されており、上軌条３の方向に対して第１設定角度α１で傾斜しつつ長手方向ＬＲに延びており、上側接合点ＯＫにおいて上軌条に固定されている。この場合、第１設定角度α１は、当該第１の筋交い５と、上側接合点ＯＫを終端とする支柱６とによって規定されている。好ましくは、第１設定角度α１は３５°から５５°の範囲であり、特に好ましくは４５°である。上側接合点ＯＫには、第２の筋交い５が接合されており、当該筋交いは、設定角度α１で傾斜しつつ下軌条４に向かって下方に延びている。クレーンガーダー２の反対側の端部に筋交い５が到達するまで、これが繰り返される。この例においては、常に偶数の筋交い５を用いることによって、最後の筋交い５が下軌条４で終わるようにする。クレーンガーダー２の長さＬに応じて組み立ての前に設定角度α１を決定することによって、同じ長さで同じ設定角度α１の偶数の筋交い５を使用できるようにする。また、各上側接合点ＯＫの辺りには、さらに支柱６が固定されており、当該支柱は、下軌条４に対して垂直に延び、当該位置に固定されている。このように、下軌条４は、レールとしての役割を果たし、そのための走行面４ｃを形成しているものであるが、曲がらないように補強されている。
【００３４】
筋交い５は、それぞれの主面５ａがクレーンガーダー２の長手方向ＬＲに対して交差する方向に延びるように、クレーンガーダー２のトラス構造内に配置されている。また、筋交い５は、その下側の第１筋交い端部５ｇが、下軌条４の上方を向く突出部４ａ同士の間に位置する状態で配置されている。筋交い５は、その上側の第２筋交い端部５ｈの位置では、２つの上軌条型材３ｄと３ｅとの間に位置している。ここで、上軌条型材３ｄ、３ｅは、その垂直に配置された突出部３ａの内側面が下軌条４の突出部４ａと面一となる状態で（図３参照）、筋交い５に溶接されている。ロッド状の支柱６も、下軌条４の突出部４ａ同士の間で且つ上軌条型材３ｄ、３ｅの突出部３ａ同士の間に配置され、それらの内側面に溶接されている。クレーンガーダー２の長手方向ＬＲに交差する方向に見ると、上軌条３又は下軌条４の突出部３ａ、４ａの間には、常に１つの筋交い５だけが存在している。
【００３５】
図２ａにさらに示すように、勾配屋根のように斜めにすなわち対角線状に延びる２つの筋交い５の間には、それぞれ、２つの垂直支柱６が配置されている。このように互いに対して割り当てられた筋交い５と支柱６とは、上軌条３の共通の上側接合点ＯＫに当接し、それぞれの筋交い５とこれに関連する支柱６とは、上軌条３における対応する上側接合点ＯＫ付近で、同じ大きさの第１設定角度α１を形成する。従って、偶数の筋交い５を同じように対に配置することによって、クレーンガーダー２の両端において、最後の筋交い５は下軌条４に向かって下降する構成となる。
【００３６】
また、アダプター１２（図４も参照のこと）によって、クレーンガーダー２の寸法を長さＬに正確に調節することができる。これは、クレーンガーダー２の上軌条３の両端部上でアダプター１２を摺動させ、これによってクレーンガーダーの長手方向ＬＲにアダプターを変位させ、最後にクレーンガーダー２にアダプターを溶接することができるからである。
【００３７】
図２ｂは、２つのクレーンガーダー２の斜視図であり、これらは、本発明に従ってトラス梁として設計されており、ダブルガーダーオーバーヘッドクレーンとして図１ｂに示したように設計されたクレーン１ｂ用のものである。これらクレーンガーダー２は、いずれも、両端部（図４も参照のこと）上で摺動するアダプター１２によって、所望の長さＬに調節されるものであり、互いに離間して平行に配置されている。また、図示された走行機構７、８が、アダプター１２によって、２つのクレーンガーダー２の端部に取り付けられている。
【００３８】
第２クレーン１ｂの２つのクレーンガーダー２のトラス構造も、下軌条４と、下軌条より長い上軌条３とを備えている。これらの軌条のそれぞれが、第１クレーン１ａの下軌条４と同じ様に、単一の部材として形成されている。従って、各クレーンガーダー２の上軌条３は、突出部３ａを備え略Ｕ字形の断面を有するフラット型材３ｂによって形成されている。上軌条３のフラット型材３ｂの下向きの突出部３ａと、下軌条４のフラット型材４ｂの上向きの突出部４ａとは、互いに対向している。
【００３９】
各クレーンガーダー２の上軌条３は、薄板状に形成された複数の筋交い５と、第二実施形態では同様に薄板状に形成され垂直に配置された複数の支柱６とによって、対応する下軌条４に連結されている。この第二実施形態において形成された薄板状支柱６の基本構成は、相応の寸法に調整されていることを除き、薄板状筋交い５の構造に実質的に一致している。ただし、２つの隣接する筋交い５の間には、２つのロッド形支柱６ではなく、薄板状の支柱６が１つだけ設けられている。この場合、第二実施形態において薄板状に形成された各支柱６は、主面６ａがクレーンガーダー２の長手方向ＬＲに対して交差し、主面に対して直角、すなわち当該長手方向ＬＲに折り曲げられた補助面６ｂを備えている。薄板状の支柱６は、補助面６ｂがクレーンガーダー２の両端のうちの一方側を向くあるいはその反対側を向くように配置することもできる。
【００４０】
シングルガーダークレーンとして設計された第１クレーン１ａのクレーンガーダー２に、第二実施形態による薄板状の支柱６を設けることも、基本的には可能である。
【００４１】
第２クレーン１ｂの２つのクレーンガーダー２の筋交い５は、同じのものである。すなわち、図１ａによる第１クレーン１ａの場合と同様に、これらの筋交いは、その長軸ＬＡに対して鏡像対称となるように形成されている。
【００４２】
図２ｂにさらに示すように、図示しないケーブルウィンチ用のクレーントロリー９が、クレーンガーダー２の下軌条４から吊り下げられるのではなく、上軌条３に取り付けられている。このために、対応する走行面３ｃを有する走行レールが、２つの上軌条３のそれぞれに、好ましくはその中央に設けられている。これによって、クレーントロリー９は、２つのクレーンガーダー２の間に位置し、第２クレーン１ｂの走行機構７と８との間で、図１ｂに示したように長手方向ＬＲに移動することができる。
【００４３】
また、図２ｂからわかるように、図２ａに示したクレーンガーダー２の場合と同様に、筋交い５は、勾配屋根のように配置されている。ただし、この場合は、隣接する２つの筋交いは、薄板状に形成された１つの支柱６のみに割り当てられており、これによって、筋交い５と支柱６とは、下軌条４の共通の下側接合点ＵＫで互いに当接する。従って、各筋交い５は、対応する薄板状支柱６と共に、下軌条４の対応する下側接合点ＵＫの辺りに、等しい大きさの第２設定角度α２を形成し、この角度は、第１設定角度α１と同様に、好ましくは３５°から５５°の範囲であり、特に好ましくは４５°である。従って、偶数の筋交い５を同じように対に配置することによって、クレーンガーダー２の両端において、最後の筋交い５は下軌条４に向かって下降する構成となる。ただし、図２ａに示したクレーンガーダー２の場合とは異なり、クレーンガーダー２のそれぞれの端部では、最後の筋交い５の後に、薄板状の支柱６も設けられている。
【００４４】
図３は、図２ａに対応するクレーンガーダー２の断面図である。図３は、特に、筋交い５の基本構造を示しており、これは、第二実施形態において同様に薄板状に形成された支柱６の基本構造に実質的に対応するが、寸法については異なりうる。従って、図３について述べる説明は、図２ｂに示したクレーンガーダー２、及び、第２実施形態で用いた薄板状の支柱６にもあてはまる。ただし、わかりやすくするために、図３に関する記載においては、筋交い５についてのみ言及する。すなわち、この例における参照番号５ａ〜５ｈは、薄板状の支柱６における対応する要素も同様に指すものであり、これらは同じ位置に参照番号６ａ〜６ｈとして示されており、符号の説明の欄に列記されている。
【００４５】
図３に示した、薄板状に形成された筋交い５は、実質的に矩形の主面５ａを有する長状の形状を有する。主面５ａは、筋交い５の長軸ＬＡに沿って延びており、且つ、クレーンガーダー２の長軸ＬＲと交差する方向におけるクレーンガーダー２の幅Ｂの少なくとも半分にわたる中央領域において、特に、突出部３ａまたは４ａの内側面間の離間距離の少なくとも半分にわたって延びている。筋交い５は、好ましくは、レーザー切断によって鋼板から作製される。また、筋交い５は、下側の第１筋交い端部５ｇ、及び、上側の第２筋交い端部５ｈを有する。特に、２つの筋交い足部５ｆが、下側の第１筋交い端部５ｇにおける、筋交い５の下側の角部の辺りに設けられている。これは、主面５ａの下側の第１筋交い端部５ｇの中央に、開口５ｅが設けられているためである。開口５ｅは、長軸ＬＡに対して鏡像対称であり、略台形の断面を有する。筋交い５は、下軌条４の上方を向く突出部４ａの間に下側の第１筋交い端部５ｇが位置した状態で、挿入される。この場合、筋交い足部５ｆは、下側凹部５ｃと下側の第１筋交い端部５ｇとの間で主面５ａの両長手側縁が、下軌条４の突出部４ａの内側面に当接するように配置され、突出部４ａに溶接される。ただし、筋交い足部５ｆは、下軌条４のフラット型材４ｂ上には接触しない。また、図３から分かるように、２つの上軌条型材３ｄ、３ｅも、垂直に延びるそれらの突出部３ａが、上側凹部５ｄと上側の第２筋交い端部５ｈとの間で主面５ａの両長手側縁に当接するように配置され、当該箇所で溶接によって連結される。
【００４６】
突出部３ａ同士の離間距離と、突出部４ａ同士の離間距離とが等しくない構成も実現可能である。この場合は、筋交い端部５ｇの両長手側縁、特に、筋交い足部５ｆの両長手側縁の離間距離と、筋交い端部５ｈの両長手側縁の離間距離とを互いに異ならせ、これによって、垂直方向において非整列状態に配置されている突出部３ａ、４ａに、それぞれ当接させ、これら突出部に溶接できるようにする。
【００４７】
対向する下側の第１筋交い端部５ｇ及び上側の第２筋交い端部５ｈの辺りには、２つの下側凹部５ｃ及び２つの上側凹部５ｄが、筋交い５の両長手側縁に設けられている。これら下側及び上側凹部５ｃ、５ｄは、それぞれ、上軌条３及び下軌条４の突出部３ａ、４ａに隣接しており、これによって、溶接シームＳにかかる負荷、又は、関連する溶接シームのrun-outを緩和する。凹部５ｃ、５ｄは円形であり、好ましくは、円弧状に形成される。
【００４８】
下側凹部５ｃと上側凹部５ｄとの間では、直角に折り曲げられ且つ長軸ＬＡに平行に延びる補助面５ｂが、筋交い５の各長手側縁において、主面５ａにつながっている。補助面５ｂは、実質的に台形状に形成されている。両補助面５ｂが同じ方向に折り曲げられているため、図３に示した筋交い５は、少なくとも、補助面５ｂの辺りでは、筋交い５の長軸ＬＡ方向視においてＵ字形の断面を有する。補助面５ｂを互いに反対方向に折り曲げ、これによって、長軸ＬＡ方向視において、少なくとも部分的にＺ字形の断面形状とすることも可能である。１つの補助面５ｂを省く、すなわち、補助面５ｂを一つだけ設けることによって、筋交い５を、長軸ＬＡ方向視において、少なくとも部分的にＬ字形の断面形状を有する構成とすることも可能である。補助面５ｂは、筋交い５の座屈強度を高める役割を果たす。補助面５ｂは、突出部３ａ、４ａからずれて位置する。従って、主面５ａの長手側部の折り返されていない部分だけが、突出部３ａ、４ａに溶接されている。
【００４９】
１つの可能な実施形態において、筋交いの全長は８９０ｍｍである。この場合、下側の第１筋交い端部５ｇ及び上側の第２筋交い端部５ｈの長手側縁は、それぞれ、８０ｍｍの挿入長さだけ、上軌条及び下軌条３、４の突出部３ａ、４ａに挿入され、当該長さにわたって突出部３ａ、４ａに溶接される。長手側縁の各挿入部分と補助面５ｂとの離間距離、すなわち、この離間領域に形成される膜状接合部の長さは、この場合、それぞれ１００ｍｍである。従って、補助面５ｂは、長軸ＬＡ方向に、５３０ｍｍの補助面長さを有する。すなわち、補助面５ｂは、補助面長さ５３０ｍｍにわたって、長軸方向に延びている。
【００５０】
補助面長さは、好ましくは、筋交い５の全長の約４０％〜７０％の範囲であり、挿入長さは、筋交い５の全長の約５％〜１５％の範囲である。
【００５１】
図４ａは、第１クレーン１ａ用のクレーンガーダー２の両端に配置された２つのアダプター１２の一方を示す側面図である。クレーンガーダー２は、２つの上軌条型材３ｄ、３ｅを有するトラス梁として設計されている。また、ロッド状の支柱６に対して第１設定角度α１で配置された筋交い５も示されている。
【００５２】
図４ａは、筋交い５の補助面５ｂの台形形状も示しており、当該補助面は、主面５ａから折り返されたものである。補助面５ｂは、上軌条３及び下軌条４の突出部３ａ、４ａとは重ならないように、クレーンガーダー２の長手方向ＬＲを含む垂直平面内に延びている。
【００５３】
クレーンガーダー２の長さを調節して所望の長さＬとするためには、アダプター１２を上軌条３及び下軌条４上に配置し、長手方向ＬＲにおいて位置合わせし、溶接する。各アダプターにおいて、長手方向ＬＲに±５ミリメートルの長さ調節が可能である。従って、クレーンガーダー２は、アダプター１２を取り付ける前に、所望の長さＬに近い長さをすでに有している。この場合、アダプター１２の構造を適宜選択することによって、溶接の前に、上軌条型材３ｄ、３ｅ及び下軌条に対してアダプターを変位させ、長さＬを微調整できるようにする。この微調整の際に、クレーンガーダー２における捩れや湾曲などの他の製造誤差も補正することができる。このため、アダプター１２は、上軌条３及び下軌条４に溶接する前に、長手方向ＬＲにおいて変位させることができるだけではなく、垂直軸周りに回動させることができ、且つ、長手方向ＬＲに交差する水平軸周りにも回動させることができる。
【００５４】
図４ａに示したクレーンガーダー２の端部は、トラス構造の終点であり、この箇所で、上軌条３の２つの上軌条型材３ｄ、３ｅが下軌条４に連結されることにより、フレームが形成されている。このために、アダプター１２は、同一形状の２つのリブ状のアダプター壁１２ｅを有しており、これらの壁は、長手方向ＬＲに延び、その上端及び下端で突出部３ａ、４ａに連結されている。この例において、アダプター壁１２ｅは、互いに離間し、互いに平行且つ突出部３ａ、４ａに平行に配置されており、それらの面がクレーンガーダー２の長手方向ＬＲに交差する方向を向く。
【００５５】
各アダプター壁１２ｅは、実質的に矩形の平板状に形成され且つ４つの角部Ｅ１〜Ｅ４を有するヘッド部１２ｆを有する。上側第１角部Ｅ１と上側第２角部Ｅ２とをつなぐ、アダプター壁１２ｅの上端側では、水平に配置されたヘッドプレート１２ｂがアダプター壁１２ｅ上に載置され、アダプター壁に溶接されている。ヘッドプレート１２ｂは、平らで矩形状に形成されている。アダプター壁１２ｅにおける、第１角部Ｅ１をその垂直方向下の第３角部Ｅ３につないでいる連結側には、垂直に配置された連結プレート１２ａが取り付けられている。連結プレート１２ａも、平らで矩形状に形成されており、長手方向ＬＲ視において、連結プレート１２ａは、アダプター壁１２ｅから側方に突出している。従って、連結プレート１２ａとヘッドプレート１２ｂとは、実質的に互いに直角に配置されており、第１角部Ｅ１の辺りで互いに当接している。第１角部Ｅ１の対角位置にある第４角部Ｅ４の辺りでは、アダプター壁１２ｅのヘッド部１２ｆが、連結突出部１２ｇに変化している。連結突出部１２ｇは、それぞれが対応するアダプター壁１２のヘッド部１２につながっており、この例では、アダプター壁１２ｅの連結側から次第に離間するように、斜め下方に延びている。連結突出部１２ｇは、平らで長状に形成されており、従って、その基本構造に関しては、上軌条３又は下軌条４の突出部３ａ、４ａの構造に実質的に似ている。
【００５６】
クレーンガーダー２の対応する端部に取り付けられるアダプター１２において、連結突出部１２ｇが対角状に延びているため、上軌条３より短く形成された下軌条４に対する連結が可能となっている。この例において、アダプター壁１２ｅの寸法は、特に、そのヘッド部１２ｆ及び連結突出部１２ｇに関して、上軌条３と下軌条部４との離間距離に応じて選択されるが、その際、連結接続部１２ｇが下軌条４に届き、且つ、この場合には突出部４ａの外側に位置して当該突出部の外側面に当接し、これらを横方向において連結すなわち溶接することができるように選択する。図３に示した上軌条３及び下軌条４の場合とは異なり、図４ａに示した上軌条３の突出部３ａは、下軌条４の突出部４ａと垂直方向に整列するようには配置されておらず、突出部３ａ同士は、水平方向において、突出部４ａ同士よりも大きく離間している。従って、下軌条４に届く連結接続部１２ｇと、最後の筋交い５とは、各突出部４ａの内側又は外側で交差しうる。
【００５７】
ただし、突出部３ａと４ａとを、互いに図３に示した様に配置し、連結突出部１２ｇの下端を、突出部４ａ同士の間に相当距離挿入することによって、これらに連結することも可能である。この場合、ヘッド部１２ｆ辺りでアダプター壁１２ｅの外側面が上軌条３の上軌条型材３ｄ、３ｅの突出部３ａ、３ｂの内側面に二次元的に接触するように、あるいは、下軌条４で、同様に、それらが連結突出部１２ｇの下側自由端に接するように、アダプター壁同士を適当な距離離間させる。
【００５８】
突出部３ａの離間距離と突出部４ａの離間距離とが等しくない場合、ヘッド部１２ｆは上軌条３の突出部３ａ同士の間に位置する一方、連結突出部１２ｇは、下軌条４の突出部４ａの外側で当該突出部の外側面に接するように、アダプタープレート１２を配置する構成も実現可能である。
【００５９】
アダプター１２、または、アダプターの相互に離間するアダプター壁１２ｅ、中でも特に連結突出部１２ｇが十分な強度と安定性を得られるように、アダプター壁１２ｅの下部には、閉鎖プレート１２ｈが設けられている。閉鎖プレート１２ｈは、ヘッド部１２ｅの第３角部Ｅ３から、第４角部Ｅ４に向かって最初は水平に延び、その後連結突出部１２ｇの延びる方向に従って斜め下方に延び、下軌条４で終結する。このように曲げられた形状の閉鎖プレート１２ｈは、アダプター壁１２ｅの下側に溶接されている。また、ヘッド部１２ｆとは反対側の閉鎖プレートの端部には、実質的に矩形の凹部１２ｉが設けられている。
【００６０】
図４ａに示した例とは異なり、例えば第２クレーン１ｂの場合のように、各クレーンガーダー２がフラット型材３ｂを有する上軌条３を備える場合にも、クレーンガーダー２の所望の長さＬへの調節が可能である。フラット型材３ｂとして単一部材として形成された上軌条３の場合、アダプター壁１２ｅを、ヘッドプレート１２ｂの下方に後退させることによって、ヘッドプレート１２ｂのみが上軌条３上に位置するようにアダプター１２を配置する。この場合、アダプター壁１２ｅは、突出部３ａ、４ａの側方には接触配置されない。
【００６１】
クレーンガーダー２の長さ調節を完成させ、製造誤差があればこれを修正するためには、アダプター１２をクレーンガーダー２の端部で摺動させる。ここで、ヘッドプレート１２ｂは、上軌条３すなわち上軌条型材３ｄ、３ｅの上面に二次元的に載置されている。調整すべき長さＬ、及び、前述した水平軸または垂直軸周りの必要な回動量は、クレーンガーダー２の両端に配置された連結プレート１２ａの連結面１２ｃを基準として決定される。ここで、連結面１２ｃは、いずれも上軌条３から離れる方向を向いている。最後に、長さＬ及び向きが、正確な寸法で調整されるが、これは、ヘッドプレート１２ｂが上軌条３上にある状態で、アダプター１２を、適宜長手方向ＬＲにおいて変位させ、回動することによって行われる。次に、このように調整された長さＬ及び向きを固定するため、アダプター１２を上軌条３及び下軌条４に溶接する。
【００６２】
ただし、アダプター１２を、最初は連結プレート１２ａなしで、クレーンガーダーの端部で摺動させることにより、長さＬ及び向きを調整することも可能である。この場合、後で取り付けることになる連結プレート１２ａの寸法を考慮しておく。連結プレート１２ａを最後に溶接することによって、２つの対向する連結プレート１２ａを追加的に互いに対して位置合わせすることができる。連結プレート１２ａには、走行機構７、８をアダプター１２及び対応するクレーンガーダーに２に取り付けられるための穴１２ｄが、設けられているからである。連結プレート１２ａは、ヘッドプレート１２ｂ及びアダプター壁１２ｅに対して水平方向及び垂直方向に変位させて位置合わせすることができ、クレーンガーダー２の長軸ＬＲ周りに回動させることもできる。このため、連結プレート１２ａは、側方から、ヘッドプレート１２ｂ及びアダプター壁１２ｅに当接させてから、位置合わせし、溶接する。好ましい態様では、一方のアダプター１２には、連結プレート１２ａを先に取り付けておいてもよい。そして、他方のアダプター１２について、二段階で位置合わせ及び溶接を行う。すなわち、最初に、アダプター壁１２ｅが連結されたヘッドプレート１２ｂについて、次に連結プレート１２ａについて、位置合わせ及び溶接を行う。
【００６３】
図４ｂは、アダプター１２を示しており、このアダプターは、クレーンガーダー２の長手方向ＬＲ視において、クレーンガーダー２の一端に、摺動させたものである。図から明らかなように、アダプター１２の水平に配置されたヘッドプレート１２ｂは、上軌条３すなわち上軌条型材３ｄ、３ｅ上に位置している。このヘッドプレートには、垂直に配置された連結プレート１２ａが接合されており、この連結プレートは、ここには図示しない走行機構７、８の１つを取り付けるための穴１２ｄを有するものである。連結プレート１２ａの下方には、閉鎖プレート１２ｈが設けられており、この閉鎖プレートの下軌条４側を向く端部には、凹部１２ｉが設けられている。凹部１２ｉからは、筋交い５が見える。この筋交いは、下軌条４のフラット型材４ｂの突出部４ａ同士の間に筋交い足部５ｆが位置するように、挿入されている。筋交い足部５ｆの外側長手側面にそれぞれ示されているのが、溶接シームＳであり、これによって、筋交い５が下軌条４に取り付けられている。
【符号の説明】
【００６４】
１ａ  第１クレーン
１ｂ  第２クレーン
２    クレーンガーダー
３    上軌条
３ａ  突出部
３ｂ  フラット型材
３ｃ  走行面
３ｄ  第１上軌条型材
３ｅ  第２上軌条型材
４    下軌条
４ａ  突出部
４ｂ  フラット型材
４ｃ  走行面
５    筋交い
５ａ  主面
５ｂ  補助面
５ｃ  下側凹部
５ｄ  上側凹部
５ｅ  開口
５ｆ  筋交い足部
５ｇ  第１筋交い端部
５ｈ  第２筋交い端部
６    支柱
６ａ  主面
６ｂ  補助面
６ｃ  下側凹部
６ｄ  上側凹部
６ｅ  開口
６ｆ  支柱足部
６ｇ  第１支柱端部
６ｈ  第２支柱端部
７    第１走行機構
７ａ  第１電動機
８    第２走行機構
８ａ  第２電動機
９    クレーントロリー
１０  クレーンコントローラ
１１  ペンダント制御スイッチ
１２  アダプター
１２ａ  連結プレート
１２ｂ  ヘッドプレート
１２ｃ  連結面
１２ｄ  穴
１２ｅ  アダプター壁
１２ｆ  ヘッド部
１２ｇ  連結突出部
１２ｈ  閉鎖プレート
１２ｉ  凹部
α１  第１設定角度
α２  第２設定角度
Ｂ    幅
Ｅ１  第１角部
Ｅ２  第２角部
Ｅ３  第３角部
Ｅ４  第４角部
Ｆ    走行方向
Ｌ    長さ
ＬＡ  長軸
ＬＲ  長手方向
ＯＫ  上側接合点
Ｓ    溶接シーム
ＵＫ  下側接合点
【図１ａ】
0006025963.tif 000002
【図１ｂ】
0006025963.tif 000003
【図２ａ】
0006025963.tif 000004
【図２ｂ】
0006025963.tif 000005
【図３】
0006025963.tif 000006
【図４ａ】
0006025963.tif 000007
【図４ｂ】
0006025963.tif 000008